(57)【要約】      （修正有）【課題】従来の薬剤容器のように、外袋と保護シートの２つを必要とせず、外袋と保護シートを１つにした薬剤容器を提供する。【解決手段】薬剤を密閉保持する保護袋１０２と、保護袋１０２を両面から保持する外枠１０１とからなり、保護袋１０２の端部は、外枠１０１から外部へはみ出しており、使用時には保護袋１０２を外枠１０１から取り除くことができる薬剤容器を用いる。【選択図】図１
2014111474.tif 000002
【特許請求の範囲】
【請求項１】
薬剤を密閉保持する袋体と、
前記袋体を両面から保持する外枠とからなり、
前記袋体の端部は、前記外枠から外部へはみ出している薬剤容器。
【請求項２】
前記袋体は、前記外枠の両端からはみ出している請求項１記載の薬剤容器。
【請求項３】
前記袋体は、前記外枠の両端の第２開口からはみ出し、
前記外枠の前記第２開口の周辺に、先端が尖った第１突起を位置する請求項１または２記載の薬剤容器。
【請求項４】
前記外枠の両端の前記第２開口の周辺のそれぞれに、前記第１突起を位置させる請求項３に記載の薬剤容器。
【請求項５】
前記外枠に移動可能なストッパを設け、前記ストッパに第２突起を設け、前記第２突起にて、前記袋体を前記外枠の外部から突き刺す請求項１から４のいずれか１項に記載の薬剤容器。
【請求項６】
前記袋体内部に、前記薬剤を保持する樹脂の網目体を有し、前記第１突起、または、前記第２突起が、前記網目体に突き刺ささり、前記網目体を前記外枠に保持する請求項１から５のいずれか１項に記載の薬剤容器。
【請求項７】
前記外枠は、上面を有する上外枠と下面を有する下外枠からなり、この上下面に挟まれた周囲が２つの側面と２つの外枠端面を構成する略直方体状であって、前記上下面には第１開口を有し、前記側面には第３開口が設けられるとともに、前記上面は、外枠の中央が端部に較べて厚くなるように湾曲していることを特徴とする請求項１から６のいずれか１項に記載の薬剤容器。
【請求項８】
前記外枠端面に、前記袋体を取り出すための凹んだ第２開口を有している請求項７記載の薬剤容器。
【請求項９】
前記第３開口が、前記下面に対して垂直方向に細長い形状であることを特徴とする請求項７または８記載の薬剤容器。
【発明の詳細な説明】
【技術分野】
【０００１】
本発明は、薬剤容器に関する。
【背景技術】
【０００２】
従来から、図８（ａ）から図８（ｄ）に示す防虫用の薬剤容器が知られている（特許文献１）。図８（ａ）は、容器の斜視図であり、図８（ｂ）は、その容器内に保持される保護シート１０９の平面図である。図８（ｃ）は、保護シート１０９の端部拡大断面図、図８（ｄ）は、薬剤容器の外観である。
【０００３】
薬剤容器は、図８（ａ）に示すように、合成樹脂製の外枠１０１と、外枠１０１内に位置する保護シート１０９とから構成される。外枠１０１は中空であって、表面には第１開口１０３が開口されており、保護シート１０９を収納する空間と外部とは第１開口１０３を介して連通している。
【０００４】
図８（ｂ）に示すように、この保護シート１０９は、シート２枚を重ねた構造で、その間に薬剤を保持する樹脂製の樹脂保持体２０１が配置される。この樹脂保持体２０１には薬剤が保持され、薬剤を揮散させて虫を遠ざける。図８（ｃ）に、その断面の端部拡大図を示す。なお、上下の保護シート１０９は接着されておらず、揮散した薬剤は重ねられた２枚のシートの隙間から外部へ放出される。
【０００５】
薬剤容器の使用時には、この保護シート１０９は、第２開口１０４を介して外枠１０１から取り除かれる。
【０００６】
薬剤を保持する樹脂保持体２０１から、薬剤が揮散し、更に第１開口１０３を通って、外枠１０１の外部へ放出される。この保護シート１０９の役割は、外枠１０１と薬剤との接触による薬剤ロスを阻害することである。
【０００７】
図８（ｄ）に示すが、この薬剤容器は販売時（使用前、保管時）には、外側を密封された外袋１０７で覆われ、薬剤は外袋１０７の外部に揮散しないように設計されている。
【先行技術文献】
【特許文献】
【０００８】
【特許文献１】特開平１１−２９２１７３号公報
【発明の概要】
【発明が解決しようとする課題】
【０００９】
しかし、上記従来の薬剤容器では、外袋と保護シートの２つが必要であるという問題がある。この発明はこの従来の問題点を解決するためになされたものであり、外袋と保護シートを１つにした薬剤容器を実現する。
【課題を解決するための手段】
【００１０】
上記の如き課題を解決するため、薬剤を密閉保持する袋体と、袋体を両面から保持する外枠とからなり、前記袋体の端部は、前記外枠から外部へはみ出している薬剤容器を用いる。
【発明の効果】
【００１１】
本発明の薬剤容器では、外袋と保護シート（保護袋）が合わさって、１つの袋で済む。
【図面の簡単な説明】
【００１２】
【図１】（ａ）本発明の薬剤容器の使用前を示す図、（ｂ）本発明の薬剤容器の使用直前を示す図、（ｃ）本発明の薬剤容器の使用中を示す図
【図２】（ａ）本発明の薬剤容器の外枠を示す図、（ｂ）保護袋を示す図、（ｃ）樹脂保持体を示す図
【図３】（ａ）本発明の外枠を開けた状態を示す図、（ｂ）薬剤容器端部の拡大断面図、（ｃ）薬剤容器端部の拡大断面図、（ｄ）突起と突起受けを説明する図、（ｅ）突起の別の例を示す図
【図４】（ａ）〜（ｂ）本発明の別の例の薬剤容器を示す図、（ｃ）薬剤容器端部の拡大断面図、（ｄ）別の突起の例、（ｅ）（ｄ）の時の薬剤容器端部の拡大断面図
【図５】（ａ）〜（ｃ）本発明の別の例の薬剤容器を示す図
【図６】（ａ）〜（ｃ）本発明の別の例の薬剤容器を示す図
【図７】本発明の別の例の薬剤容器を示す図
【図８】（ａ）従来の薬剤容器を示す図、（ｂ）保護シートを示す図、（ｃ）保護シートの断面図、（ｄ）従来の薬剤容器の外観を示す図
【発明を実施するための形態】
【００１３】
（実施の形態１）
以下、本発明の実施例を添付図面に基づいて説明する。図１（ａ）は、本発明の薬剤容器の使用前の斜視図である。図１（ｂ）は、図１（ａ）の薬剤容器の使用直前を示す図であり、図１（ｃ）は、本発明の薬剤容器の使用中の状態を示す斜視図である。
【００１４】
本発明の薬剤容器は、外形が扁平な六面体の形状を有する樹脂製の外枠１０１と、外枠１０１内に収納されている保護袋１０２とから構成される。前記六面体は、対向する両主面（上面及び下面）とこれらに挟まれた周囲に２つの側面と２つの外枠端面を有している。外枠１０１の両主面には貫通する孔である第１開口１０３が設けられ、両外枠端面にも貫通する第２開口１０４が設けられている。図１（ａ）に示すように、使用前の状態では、それぞれの第２開口１０４から、保護袋１０２の端部である保護袋端部１０２ａ及び１０２ｂが外枠１０１の外部にはみ出だしている。なお、図１では、両側面に開口が設けられていないが、通風性の点から開口の設置が好ましい。
【００１５】
保護袋１０２の内部には薬剤が密閉、保持されており、保護袋１０２は使用前に取り除かれる。
【００１６】
第２開口１０４は、保護袋１０２を外枠１０１から取り除く際の取り出し口である。
【００１７】
以上のような構成を有する、本実施の形態１の薬剤容器は、図１（ａ）に示す使用前の状態から、図１（ｂ）に示すように、保護袋端部１０２ａを切り取り、切り取った保護袋端部１０２ａと反対側の保護袋端部１０２ｂを引っ張ることで、外枠１０１から保護袋１０２が取り除かれ、封入されていた薬剤が露出する。これにより薬剤容器は使用可能な状態となる。
【００１８】
使用状態においては、図１（ｃ）に示すように、外枠１０１の内部にて保護袋１０２内に封入されていた、後述する、薬剤を保持する樹脂保持体（図示省略）が露出しており、樹脂保持体から薬剤が第１開口１０３を介して外部へ放出されている。
【００１９】
図２（ａ）から（ｃ）は、薬剤容器の内部構成の詳細を説明する図である。
【００２０】
図２（ａ）は、外枠１０１を開いた状態を示す図である。図に示すように、外枠１０１は、上側の上外枠１０１ａと下側の下外枠１０１ｂとから構成される。上外枠１０１ａと下側の下外枠１０１ｂの端部には、組立て時に第２開口１０４を形成する切り欠き１０４ａ及び１０４ｂがそれぞれ設けられている。
【００２１】
外枠１０１は、それぞれ樹脂成形で作製された上外枠１０１ａと下外枠１０１ｂとを組み合わせることにより構成されている。なお、上外枠１０１ａと下外枠１０１ｂは、組み合わせ後も分解することができる。又、上外枠１０１ａと下外枠１０１ｂとは一辺を共有して一体化した、いわゆるクラムシェル型の構造を有していてもよいし、分離独立した部品であってもよい。
【００２２】
図２（ｂ）は、外枠１０１に収納される保護袋１０２の斜視図である。この保護袋１０２は、未使用状態においては、保護袋端部１０２ａ及び１０２ｂを含めた周縁が封止されることにより密閉された袋となっており、内部に樹脂保持体２０１に保持された薬剤が封入されている。
【００２３】
図２（ｃ）は、保護袋１０２の内部に配置される薬剤を保持する樹脂製の樹脂保持体２０１の斜視図である。樹脂保持体２０１は樹脂の網状体を本体部として有し、この本体部に薬剤が樹脂等とともに混練される又は塗布されることにより、薬剤を保持している。
【００２４】
ここで薬剤の例としては、防虫材料、殺虫材料、芳香材料、消臭材料などがある。具体的には、メトフルトリン、トランスフルトリン、プロフルトリン、エムペントリン等の揮発性ピレスロイド系防虫殺虫剤や各種テルペン系香料成分等が例示される。
【００２５】
又、保護袋１０２の素材の例としては、ガスを透過させない性質を有するポリエチレンテレフタレート、エチレンビニルアルコール共重合体、ポリ塩化ビニリデンなどを材料にしたフィルムを、単体もしくは組み合わせて使用できる。
【００２６】
以上のような本発明では、使用開始前の状態においては密閉された保護袋１０２により薬剤が封止保持されており、且つ、保護袋１０２が外枠１０１に保持されているので、図５に示すような、従来例における揮散防止用の外袋１０７が不要となる。
【００２７】
又、外枠１０１は再度利用し、保護袋１０２のみを交換することもできる。外枠１０１を別にしているので、密閉する袋としての保護袋１０２の大きさを小さくでき、従来例に比して、中の薬剤の揮散を抑えることができる。
【００２８】
なお、図１（ｂ）を参照した使用時の説明においては、保護袋１０２の一方の端部である保護袋端部１０２ａを切り取った後に、同他方の端部である保護袋端部１０２ｂを引っ張るものとしたが、保護袋１０２の片側の端部のみを操作の対象としてもよい。具体的には、保護袋端部１０２ｂを外枠１０１から大きく引っ張り出してその引っ張り出した保護袋端部１０２ｂを切り取って、もう一方の端部を引っ張り、保護袋１０２を取り出してもよい。
【００２９】
すなわち、薬剤容器が図１（ａ）に示す未使用状態にある流通過程においては外枠１０１内にその大半が収納された保護袋端部１０２ｂを、使用時に大きく引っ張り出して切り取るようにする。もう一方の端部である保護袋端部１０２ａを引き出すことにより、保護袋１０２外枠１０１から容易に取り除くことができる。
【００３０】
（実施の形態２）
図３（ａ）〜図３（ｄ）は、本発明の実施の形態２の構成を示す図である。各図において、図１及び２と同一又は相当する構成については、同一符号を付し詳細な説明は省略し、実施の形態１と異なる部分を中心に説明する。これは以下の実施の形態も同様である。
【００３１】
図３（ａ）は、本実施の形態２の薬剤容器の、外枠１０１を開いた状態を示す斜視図である。上外枠１０１ａと下側の下外枠１０１ｂのそれぞれについて、先端が尖っている突起３０１が、第２開口１０４を形成する切り欠き１０４ａ及び１０４ｂの周辺に配置されている。
【００３２】
この突起３０１は、薬剤容器を使用する場合に、保護袋１０２に差し込まれるものである。以下、図３（ｂ）と図３（ｃ）を参照して説明する。
【００３３】
図３（ｂ）は、薬剤容器の端部の、外枠１０１の長手方向に沿った直線による拡大断面図であって、使用前の状態を示すものである。突起３０１は保護袋１０２に突き刺さっていない。図３（ｃ）は、突起３０１が保護袋１０２に突き刺さった状態を示す図である。これは、図３（ｂ）に示す状態から、外枠１０１を押さえることで、突起３０１が保護袋１０２に突き刺さることを示すものである。
【００３４】
この図３（ｃ）に示す、突起３０１が保護袋１０２に突き刺さった状態で、保護袋１０２のもう一端（図示せず）を実施の形態１と同様破る。しかる後、保護袋１０２の図３（ｃ）に現れている方を引くことで、外枠１０１から保護袋１０２を取り出す。樹脂保持体２０１の位置が固定でき、スムーズに保護袋１０２を取り出せる。この突起３０１の部分を起点として、保護袋１０２が破れ、保護袋１０２を取り出しやすい。
【００３５】
なお、突起３０１の配置場所は、少なくとも、第２開口１０４の周辺の１か所にあればよい。
【００３６】
図３（ｄ）は、突起３０１の変形例（断面図）を示す図であり、図中上側、図３（ａ）の上外枠１０１ａ側に突起３０１を設け、同下側、下外枠１０１ｂに突起受け３０３を設けた構成である。突起３０１が確実に保護袋１０２に刺さるように、突起３０１の外形に対応した凹部の突起受け３０３を有する。
【００３７】
なお、突起３０１は、樹脂保持体２０１にも突き刺さるように、一定長の長さを有する、あるいは先端が鋭利に成形されていることが、より望ましい。これにより、突起３０１が保護袋１０２と樹脂保持体２０１に突き刺さり、外枠１０１内において樹脂保持体２０１を位置ずれさせることなく定位置にて保持することができる。
【００３８】
このように、本実施の形態２によれば、外枠１０１に突起３０１を備えたことにより、保護袋１０２の端部を引きちぎることなく保護袋１０２を引き裂き、より容易に取り除くことができる。
【００３９】
また、保護袋１０２の材質も、柔軟性が低く、引き裂かれ易い樹脂シートがよい。材質は適時選択できる。シート厚みは、運搬、保管のため、薄くなく、かつ、突起３０１が刺さるように、厚くないのがよい、例えば、１０μｍから、１００μｍ程度である。好ましくは、２０μｍから５０μｍである。
【００４０】
図３（ｅ）に、突起３０１の変形例を示す。突起３０１は扇形、または、円の一部を平面として有する薄い柱状体である。前記突起３０１との相違点は、保護袋１０２に対して、一方向へ線状に挿入されることにある。前記突起３０１は保護袋１０２との接触が点接触に近い態様でなされるが、この例では保護袋１０２との接触を線接触に近い態様で実現することができる。これにより、保護袋１０２をより引き裂きやすくなる。すなわち、保護袋１０２が突起３０１の縁である線に沿って簡単に引き裂かれることにより、保護袋１０２が薬剤容器から取り出しやすくなるという効果を奏する。
【００４１】
（実施の形態３）
図４（ａ）〜図４（ｃ）は、本発明の実施の形態３の構成を示す図である。以下、実施の形態１、２と異なる部分を説明する。
【００４２】
図４（ａ）は、本実施の形態３による薬剤容器の斜視図である。本実施の形態３の薬剤容器は、外枠１０１の長手側の側端に外形平板状のストッパ３０２が設けられた構成を有し、ストッパ３０２の主面上には突起３０１が設けられている。ストッパ３０２は、外枠１０１との連結部分を中心に回動可能であり、突起３０１の先端が外枠１０１と対向するように配置されている。
【００４３】
ここで、ストッパ３０２の動作として、図４（ｂ）にストッパ３０２が回動し、外枠１０１の主面に重なり、突起３０１が第１開口１０３に差し込まれた状態を示す。又、図４（ｃ）は、ストッパ３０２が外枠１０１に重なった状態における薬剤容器の端部断面図を示す。
【００４４】
本実施の形態３は、上述の回動可能なストッパ３０２を有することにより、以下の作用効果を奏する。すなわち、図４（ａ）に示す、外枠１０１内に保護袋１０２を収納した状態から、ストッパ３０２を回動させて、図４（ｂ）、図４（ｃ）に示すように、外枠１０１に対してストッパ３０２を押し込むことにより、突起３０１が保護袋１０２を貫通して、樹脂保持体２０１に突き刺さる。これにより、保護袋１０２及び樹脂保持体２０１は外枠１０１内に固定される。
【００４５】
図４（ｄ）は前記突起３０１の別の変形例を示す図である。前記突起３０１は、点で保護袋１０２を突き刺すものであった。この例では、線で突き刺す突起である。その形状は、扇形平面、または、円の一部の平面で厚みがある柱状である。その弧に沿って、保護袋１０２を突き破る。線上に沿って保護袋１０２が割かれるので保護袋１０２が薬剤容器から取り出しやすい。図４（ｅ）は、この突起３０１が保護袋１０２に突き刺さった時の薬剤容器の一部の断面図である。
【００４６】
この状態で、突起３０１から遠い側に位置するもう一方の保護袋端部１０２ｂを外枠１０１から引き抜くと、保護袋１０２は、この突起３０１の突き刺さった部分の近傍から裂け、薬剤容器から取り除かれる。なお、ストッパ３０２の位置は、薬剤容器（外枠１０１）の端部、特に保護袋１０２が露出する部分の近傍とすることが望ましく、保護袋１０２を引き裂き易いという効果を奏する。なお、本実施の形態の構成を、実施の形態２の突起３０１と組み合わせることもできる。
【００４７】
なお、上記の説明においては、ストッパ３０２は突起３０１が第１開口１０３から離れた状態で、外枠１０１の周りを回動した後に第１開口１０３に被さることにより突起３０１が保護袋１０２等に突き刺さるものとした。しかしながら、ストッパ３０２は、あらかじめ、図４（ｂ）に示す、第１開口１０３に被さった状態にしておき、上から更にストッパ３０２を押し込むことにより、保護袋１０２等に突き刺ささる構成としてもよい。更に、被さった状態にあるストッパ３０２と、第１開口１０３を含めた外枠１０１との間に、突起３０１が保護袋１０２と接触するのを防ぐ栓を設けた構成としてもよい。この場合は、使用直前に栓を抜いてストッパ３０２を押し込むことにより突起３０１を保護袋１０２等に突き刺すこととなる。
【００４８】
（実施の形態４）
図５（ａ）〜（ｃ）は、別の薬剤容器の例を示す図である。この薬剤容器は略直方体状を呈し、上外枠１０１ａと下外枠１０１ｂの２つの部材からなる。図５（ａ）は、上外枠１０１ａ、図５（ｃ）は、下外枠１０１ｂ、図５（ｂ）は、それらを組み合わせた薬剤容器の斜視図である。
【００４９】
この薬剤容器においては、上外枠１０１ａに上面、下外枠１０１ｂに下面を有し、上、下面に挟まれた周囲は２つの側面と２つの外枠端面を構成している。なお、上面は、外枠の中央が端部に較べて厚くなるように湾曲してもよく、一方、下面は平面状が一般的である。また、両外枠端面と平行にカットした場合の断面形状としては、長方形のほか、台形状、三角形状、円弧状等であってもよい。
【００５０】
第２開口１０４は、実施の形態１、２同様、保護袋１０２を取り出すところである。実施の形態１、２との違いは、容器内部に、凹部が形成され、外観上、薬剤が外部へ出ることがない。
【００５１】
薬剤容器の上、下面には、第１開口１０３があり、側面には、第３開口１０５が設けられている。本実施例では、第１開口１０３は、複数の小さな方形状であり、一方、第３開口１０５は、１つ１つが、第１開口１０３の１つより大きな開口面積の細長い楕円形状、または、長方形である。
【００５２】
薬剤容器中の通風性を良くし、空気の流れにのせて薬剤を容器外に揮散させるためには、上、下面の第１開口１０３に加えて、側面に第３開口１０５を設置するのが極めて好ましく、特に、実施の形態４のような薬剤容器においては、両側面に設けられた第３開口１０５の総開口面積は、上、下面における第１開口１０３の総開口面積と比較して０．３〜３．０倍程度に設定するのがよい。
【００５３】
本薬剤容器は、棚や机等に置いて使用してもよいが、通常、玄関等のドアノブや壁等に吊下げて使用に供することが多い。この場合、下面がドアや載置面等に密着して下面の第１開口１０３が塞がれ空気の流れが遮断される恐れがある。そこで、下面に突起状の足１０６を付設する。これにより、下面を介した空気の流れが確保されるので、薬剤の揮散効率を向上させることができる。
【００５４】
図６（ａ）、（ｂ）は、薬剤容器へ保護袋１０２をセットした状態を示す図である。保護袋１０２を上外枠１０１ａと下外枠１０１ｂの間に挟んでセットした状態が図６（ａ）である。図１と同様、第２開口１０４から、保護袋１０２を取り除いたものが図６（ｂ）である。第２開口１０４は、薬剤容器の外枠端面で、容器内部へ向かって凹んだ形状である。保護袋１０２が取り出しやすく、外部へあまり出ない。
【００５５】
なお、図示しないが、上外枠１０１ａ、又は、下外枠１０１ｂには、図３に示す突起３０１、また、図４のストッパ３０２を設けている。
【００５６】
図６（ｃ）は、薬剤容器をドアノブなどに固定している状態を示す図である。第３開口１０５の下部に設けられたフック先端部取付け孔兼開口部１０５ａの適当位置にフック先端部を差し込んでフック部１０８を形成し、ドアノブなどの突起に掛けることができる。フック先端部取付け孔兼開口部１０５ａは、薬剤容器の側面下部に複数個設けられ、フック部１０８の取付け方法や長さを調整できるようになっている。ドアノブや壁等に吊下げて使用しても、足１０６があるので、薬剤容器の下面がドアや壁などに密着しない。このため、薬剤容器中の空気の流れが妨げられず、薬剤は容器からスムーズに揮散可能となる。
【００５７】
図７は、薬剤容器の側面に設けられた第３開口１０５の形状の変形例を示す図である。図７に示す薬剤容器における第３開口１０５は、薬剤容器の底面（下面）に対して、垂直方向の長細い楕円形状、スリット状を呈している。この変形例は、薬剤容器中の空気の流れがスムーズであることに加え、図５や図６のものに較べて樹脂成形性が良く薬剤容器の製造コスト上有利となる。
【００５８】
なお、各実施の形態は、阻害要因がない限り、適時組み合わせることができる。
【産業上の利用可能性】
【００５９】
本発明の薬剤容器は、薬剤を揮散させる容器として使用するものである。
【符号の説明】
【００６０】
１０１  外枠
１０１ａ  上外枠
１０１ｂ  下外枠
１０２  保護袋
１０２ａ  保護袋端部
１０３  第１開口
１０４  第２開口
１０４ａ、１０４ｂ  切り欠き
１０５  第３開口
１０５ａ  フック先端部取付け孔兼開口部
１０６  足
１０８  フック部
１０９  保護シート
２０１  樹脂保持体
３０１  突起
３０２  ストッパ
３０３  突起受け
【図１】
2014111474.tif 000003
【図２】
2014111474.tif 000004
【図３】
2014111474.tif 000005
【図４】
2014111474.tif 000006
【図５】
2014111474.tif 000007
【図６】
2014111474.tif 000008
【図７】
2014111474.tif 000009
【図８】
2014111474.tif 000010